(57)【特許請求の範囲】
【請求項１】
左右方向に一定ストロークで往復移動する苗載台を、主苗載部と分割苗載部とに左右に分割可能に構成し、かつ、前記主苗載部と前記分割苗載部とを、前記分割苗載部の苗載面と交差する方向への変位により、前記主苗載部と前記分割苗載部とを左右に連接した作業状態と、前記作業状態よりも前記分割苗載部を主苗載部側に寄せて前記苗載台の左右幅を狭くした収納状態とに切り換え可能に連結する連結機構を備えて、前記苗載台を前記作業状態と前記収納状態とに切り換え可能な分割収納式に構成し、
前記苗載台を支持する支持フレームと前記苗載台との間に、前記苗載台の苗載面と交差する方向への変位を阻止した状態で前記苗載台を左右方向に移動案内するガイド機構を備えた田植機の苗載台分割構造において、
前記連結機構は、前記主苗載部から横外方に延出する左右向き姿勢で前記主苗載部に固定した固定部材と、前記分割苗載部に枢支連結した左右向き姿勢の可動部材とを、前記固定部材に対する前記可動部材の左右摺動及び起伏揺動のみが可能となるように支軸を介して連結することにより、前記主苗載部と前記分割苗載部とを前記作業状態と前記収納状態とに切り換え可能に連結し、
前記ガイド機構に、前記支持フレームと前記苗載台とのいずれか一方に左右方向に所定間隔をあけて並ぶ状態に配備する複数の回転体と、前記回転体との左右方向への相対移動を許容し、かつ、前記苗載面と交差する方向への相対変位を阻止するように前記回転体に係合する係合溝を備えた状態で前記支持フレームと前記苗載台とのいずれか他方に装備する係合部材と、前記苗載台の前記作業状態と前記収納状態との切り換え時に前記分割苗載部の前記苗載面と交差する方向への変位を許容する変位許容部とを装備した田植機の苗載台分割構造。
【請求項２】
前記変位許容部を、前記分割苗載部と前記支持フレームとの間に位置する回転体と前記係合溝との前記苗載面と交差する方向への相対変位を許容する状態に前記係合部材に形成した切欠部により構成した請求項１に記載の田植機の苗載台分割構造。
【請求項３】
前記支持フレームに、前記苗載台の下部側を下方から受け止め支持する下部側支持部材を備え、
前記回転体を前記下部側支持部材に装備し、前記係合部材を前記苗載台の下部側に備えた請求項１又は２に記載の田植機の苗載台分割構造。
【請求項４】
前記支持フレームに、前記苗載台の上部側を受け止め支持する上部側支持部材を備え、
前記回転体を前記上部側支持部材に装備し、前記係合部材を前記苗載台の上部側に備えた請求項１又は２に記載の田植機の苗載台分割構造。
【請求項５】
前記支持フレームに、前記苗載台の下部側を下方から受け止め支持する下部側支持部材と、前記苗載台の上部側を受け止め支持する上部側支持部材とを備え、
前記苗載台の下部側に対する前記回転体を前記下部側支持部材に装備し、前記苗載台の上部側に対する前記回転体を前記上部側支持部材に装備し、前記下部側支持部材の前記回転体に対する前記係合部材を前記苗載台の下部側に備え、前記上部側支持部材の前記回転体に対する前記係合部材を前記苗載台の上部側に備えた請求項１又は２に記載の田植機の苗載台分割構造。
【請求項６】
前記分割苗載部に備えた苗縦送り機構への伝動を断続する分割苗載部用の縦送りクラッチを備え、
前記分割苗載部用の縦送りクラッチに対する操作具及び操作系を主苗載部側に配備した請求項１〜５のいずれか一つに記載の田植機の苗載台分割構造。
【発明の詳細な説明】
【技術分野】
【０００１】
本発明は、左右方向に一定ストロークで往復移動する苗載台を、主苗載部と分割苗載部とに左右に分割可能に構成し、かつ、前記主苗載部と前記分割苗載部とを、前記分割苗載部の苗載面と交差する方向への変位により、前記主苗載部と前記分割苗載部とを左右に連接した作業状態と、前記作業状態よりも前記分割苗載部を主苗載部側に寄せて前記苗載台の左右幅を狭くした収納状態とに切り換え可能に連結する連結機構を備えて、前記苗載台を前記作業状態と前記収納状態とに切り換え可能な分割収納式に構成し、前記苗載台を支持する支持フレームと前記苗載台との間に、前記苗載台の苗載面と交差する方向への変位を阻止した状態で前記苗載台を左右方向に移動案内するガイド機構を備えた田植機の苗載台分割構造に関する。
【背景技術】
【０００２】
上記のような田植機の苗載台分割構造においては、苗載台の下部を支持する摺動レールに苗載台の下部に備えた案内シューを左右方向に相対摺動可能に係合載置することにより、苗載台の左右方向への一定ストロークでの往復移動を許容するように構成していた。又、苗載台の作業状態と収納状態との切り換えを可能にするために、主苗載部（主苗載せ台）に対する分割苗載部（分割苗載せ台）の左右方向への摺動変位と上下方向への揺動変位とを許容する状態に主苗載部と分割苗載部とを連結する補助アームを備え、この補助アームに、補助アームの機体横外側への分割苗載部との一体摺動に伴って、苗載台の固定部に備えたブラケットの案内面（外上がり傾斜面）を乗り上がるガイドローラを装備することにより、苗載台を作業状態から収納状態に切り換える際には、機体横外側への分割苗載部の摺動に伴って分割苗載部がブラケットの案内面に沿って上昇し、この上昇により、案内シューが摺動レールから浮上して摺動レールとの係合を解除することにより、主苗載部に対する分割苗載部の上下方向への揺動変位を許容するように構成したものがある（例えば特許文献１参照）。
【先行技術文献】
【特許文献】
【０００３】
【特許文献１】特開２００１−１６９２８号公報（段落番号００２８、００３７、００４１、００４２、図１３〜１５、図１７、図１８、図２６、図２７）
【発明の概要】
【発明が解決しようとする課題】
【０００４】
上記の構成では、摺動レールと案内シューとの摺接によって苗載台の左右方向への往復移動を許容することから、摺動レール又は案内シューが摩耗し易く、この摩耗を抑制するためには、摺動レールと案内シューとの間にグリスを頻繁に補給する必要がある。従って、耐久性及びメンテナンス性の面において改善の余地があった。
【０００５】
又、苗載台を作業状態から収納状態に切り換える際には、機体横外側への分割苗載部の摺動に伴って、補助アームのガイドローラをブラケットの案内面に乗り上げさせて分割苗載部を上昇させる必要があることから、切り換え操作が重くなっていた。
【０００６】
本発明の目的は、苗載台の摺動に関する耐久性及びメンテナンス性の向上とともに、苗載台を作業状態から収納状態に切り換える際の操作性の向上を図れるようにすることにある。
【課題を解決するための手段】
【０００７】
本発明の請求項１に係る発明は、左右方向に一定ストロークで往復移動する苗載台を、主苗載部と分割苗載部とに左右に分割可能に構成し、かつ、前記主苗載部と前記分割苗載部とを、前記分割苗載部の苗載面と交差する方向への変位により、前記主苗載部と前記分割苗載部とを左右に連接した作業状態と、前記作業状態よりも前記分割苗載部を主苗載部側に寄せて前記苗載台の左右幅を狭くした収納状態とに切り換え可能に連結する連結機構を備えて、前記苗載台を前記作業状態と前記収納状態とに切り換え可能な分割収納式に構成し、前記苗載台を支持する支持フレームと前記苗載台との間に、前記苗載台の苗載面と交差する方向への変位を阻止した状態で前記苗載台を左右方向に移動案内するガイド機構を備えた田植機の苗載台分割構造において、
前記連結機構は、前記主苗載部から横外方に延出する左右向き姿勢で前記主苗載部に固定した固定部材と、前記分割苗載部に枢支連結した左右向き姿勢の可動部材とを、前記固定部材に対する前記可動部材の左右摺動及び起伏揺動のみが可能となるように支軸を介して連結することにより、前記主苗載部と前記分割苗載部とを前記作業状態と前記収納状態とに切り換え可能に連結し、
前記ガイド機構に、前記支持フレームと前記苗載台とのいずれか一方に左右方向に所定間隔をあけて並ぶ状態に配備する複数の回転体と、前記回転体との左右方向への相対移動を許容し、かつ、前記苗載面と交差する方向への相対変位を阻止するように前記回転体に係合する係合溝を備えた状態で前記支持フレームと前記苗載台とのいずれか他方に装備する係合部材と、前記苗載台の前記作業状態と前記収納状態との切り換え時に前記分割苗載部の前記苗載面と交差する方向への変位を許容する変位許容部とを装備した。
【０００８】
上記の発明では、複数の回転体の回転によって苗載台が一定ストロークで左右方向に往復移動することから、摺動部材などの摺動によって苗載台を左右方向に往復移動させる場合に比較して、苗載台の左右方向への往復移動に関する部材の摩耗を大幅に抑制することができる。又、これにより、苗載台の左右方向への往復移動に関する部材に要するメンテナンスの回数を削減することができる。
【０００９】
しかも、苗載台が一定ストロークで左右方向に往復移動するときには、複数の回転体と係合部材の係合溝との係合により、支持フレームに対して苗載台を左右方向に円滑に移動させながら、支持フレームに対する苗載台の苗載面と交差する方向への浮上りを防止することができる。
【００１０】
そして、苗載台を作業状態と収納状態とに切り換えるときには、変位許容部が分割苗載部の苗載面と交差する方向への変位を許容することから、分割苗載部を苗載面と交差する方向に変位させることによる苗載台の作業状態と収納状態との切り換えを簡便に行うことができる。
【００１１】
従って、苗載台支持構造における耐久性の向上、及び、苗載台支持構造に関するメンテナンスに要する労力の軽減を図りながら、苗載台の一定ストロークでの左右方向への往復移動を良好に行わせることができる上に、苗載台を作業状態と収納状態とに切り換える際の操作性を向上させることができる。
【００１２】
本発明の請求項２に係る発明は、上記請求項１に記載の発明において、
前記変位許容部を、前記分割苗載部と前記支持フレームとの間に位置する回転体と前記係合溝との前記苗載面と交差する方向への相対変位を許容する状態に前記係合部材に形成した切欠部により構成した。
【００１３】
上記の発明では、係合部材に切欠部を形成するだけの簡単な構成で、複数の回転体と係合部材の係合溝との係合により得られる苗載面と交差する方向への苗載台の浮上り防止機能を確保しながら、苗載台を作業状態と収納状態とに切り換える際の操作性を向上させることができる。
【００１４】
本発明の請求項３に係る発明は、上記請求項１又は２に記載の発明において、
前記支持フレームに、前記苗載台の下部側を下方から受け止め支持する下部側支持部材を備え、
前記回転体を前記下部側支持部材に装備し、前記係合部材を前記苗載台の下部側に備えた。
【００１５】
上記の発明では、苗載台の下部側を下方から受け止め支持するために高い剛性を有する下部側支持部材に複数の回転体を安定した状態で装備することができる。
【００１６】
又、複数の回転体との係合により苗載面と交差する方向への苗載台の浮上りを防止するために高い剛性を有する係合部材を苗載台の下部側に備えることにより、苗載台の下部側を補強することができる。
【００１７】
従って、専用の補強部材を備えることなく、回転体の安定性の低下や苗載台の強度不足に起因して苗載台が一定ストロークで左右方向に往復移動する際に苗載台のガタツキが生じる虞を回避することができる。
【００１８】
本発明の請求項４に係る発明は、上記請求項１又は２に記載の発明において、
前記支持フレームに、前記苗載台の上部側を受け止め支持する上部側支持部材を備え、
前記回転体を前記上部側支持部材に装備し、前記係合部材を前記苗載台の上部側に備えた。
【００１９】
上記の発明では、苗載台の上部側を受け止め支持するために高い剛性を有する上部側支持部材に複数の回転体を安定した状態で装備することができる。
【００２０】
又、複数の回転体との係合により苗載面と交差する方向への苗載台の浮上りを防止するために高い剛性を有する係合部材を苗載台の上部側に備えることにより、苗載台の上部側を補強することができる。
【００２１】
従って、専用の補強部材を備えることなく、回転体の安定性の低下や苗載台の強度不足に起因して苗載台が一定ストロークで左右方向に往復移動する際に苗載台のガタツキが生じる虞を回避することができる。
【００２２】
本発明の請求項５に係る発明は、上記請求項１又は２に記載の発明において、
前記支持フレームに、前記苗載台の下部側を下方から受け止め支持する下部側支持部材と、前記苗載台の上部側を受け止め支持する上部側支持部材とを備え、
前記苗載台の下部側に対する前記回転体を前記下部側支持部材に装備し、前記苗載台の上部側に対する前記回転体を前記上部側支持部材に装備し、前記下部側支持部材の前記回転体に対する前記係合部材を前記苗載台の下部側に備え、前記上部側支持部材の前記回転体に対する前記係合部材を前記苗載台の上部側に備えた。
【００２３】
上記の発明では、苗載台を受け止め支持するための高い剛性を有する下部側支持部材と上部側支持部材とに複数の回転体を安定した状態で装備することができる。
【００２４】
又、複数の回転体との係合により苗載面と交差する方向への苗載台の浮上りを防止するために高い剛性を有する係合部材を苗載台の下部側と上部側とに備えることにより、苗載台の上下両側を補強することができる。
【００２５】
従って、専用の補強部材を備えることなく、回転体の安定性の低下や苗載台の強度不足に起因して苗載台が一定ストロークで左右方向に往復移動する際に苗載台のガタツキが生じる虞を回避することができる。
【００２６】
本発明の請求項６に係る発明は、上記請求項１〜５のいずれか一つに記載の発明において、
前記分割苗載部に備えた苗縦送り機構への伝動を断続する分割苗載部用の縦送りクラッチを備え、
前記分割苗載部用の縦送りクラッチに対する操作具及び操作系を主苗載部側に配備した。
【００２７】
上記の発明では、分割苗載部用の縦送りクラッチに対する操作具及び操作系を分割苗載部側に配備した場合に要する、苗載台の収納状態への切り換えを可能にするために、連係ワイヤなどの操作系の長さを長くする、あるいは、操作系の配索に工夫を凝らす、といった対策を不要にすることができる。
【図面の簡単な説明】
【００２８】
【図１】乗用田植機の全体左側面図である。
【図２】苗植付装置の左側面図である。
【図３】苗植付装置の平面図である。
【図４】苗植付装置の正面図である。
【図５】苗植付装置の要部の正面図である。
【図６】苗載台を左ストローク端に位置させた状態を示す苗植付装置の要部の正面図である。
【図７】苗載台を左ストローク端に位置させた状態を示す苗植付装置の分割苗載部側の正面図である。
【図８】分割苗載部の分離状態を示す苗植付装置の分割苗載部側の正面図である。
【図９】苗載台の収納状態を示す苗植付装置の要部の正面図である。
【図１０】苗載台の収納状態を示す苗植付装置の左側面図である。
【図１１】苗載台の作業状態（ａ）と分割苗載部の分離状態（ｂ）を示す苗載台の分割苗載部側の横断底面図である。
【図１２】苗載台の収納状態を示す苗載台の分割苗載部側の横断底面図である。
【図１３】下側ガイド機構の構成を示す要部の縦断左側面図である。
【図１４】下側ガイド機構の構成を示す要部の縦断正面図である。
【図１５】下側ガイド機構の構成を示す要部の分解斜視図である。
【図１６】下側ガイド機構の変位許容部を示す要部の正面図である。
【図１７】分割苗載部を収納位置に固定保持するロック機構のロック解除状態（ａ）とロック状態（ｂ）を示す要部の左側面図である。
【図１８】分割苗載部を収納位置に固定保持するロック機構のロック状態を示す要部の横断底面図である。
【図１９】下側ガイド機構の支持部材の折り畳み構造を示す要部の左側面図である。
【図２０】下側ガイド機構の支持部材の折り畳みを可能にする接続機構の分解斜視図である。
【図２１】線引きマーカの待機位置保持構造などを示す要部の縦断左側面図である。
【図２２】保護部材の取り付け構造を示す要部の縦断左側面図である。
【図２３】保護部材取り付け構造の参考形態を示す要部の縦断左側面図である。
【図２４】補助整地板の取り付け構造を示す要部の縦断左側面図である。
【図２５】補助整地板の取り付け構造を示す要部の縦断正面図である。
【図２６】補助整地板の取り付け構造を示す要部の分解斜視図である。
【図２７】整地フロートの下降制限構造を示す要部の縦断左側面図である。
【発明を実施するための形態】
【００２９】
以下、本発明を実施するための形態の一例として、本発明に係る田植機の田植機の苗載台分割構造を、田植機の一例である乗用田植機に適用した実施形態を図面に基づいて説明する。
【００３０】
図１に示すように、本実施形態で例示する乗用田植機は、走行車体１の後部にリンク機構２を油圧式の昇降シリンダ３の作動で上下揺動するように連結し、このリンク機構２の後端下部に８条用の苗植付装置４をローリング可能に連結して８条植え用に構成している。
【００３１】
走行車体１は、車体フレーム５の前部に搭載したエンジン６からの動力を、主変速装置として備えた静油圧式無段変速装置（図示せず）、及び、トランスミッションケース（以下、Ｔ／Ｍケースと称する）７に副変速装置として内蔵したギア式変速装置（図示せず）、などを介して左右の前輪８及び左右の後輪９に伝達する４輪駆動型に構成している。エンジン６の後方には、前輪操舵用のステアリングホイール１０及び運転座席１１などを配備して搭乗運転部１２を形成している。走行車体１における前部の左右両横側方箇所には、４枚の予備苗を上下方向に所定間隔をあけて載置する予備苗載装置１３を立設している。
【００３２】
図１〜５に示すように、苗植付装置４は、リンク機構２に連結する動力分配ケース１４、８条分のマット状苗を載置することが可能な状態に８条分の苗載面１５ａを区画形成した苗載台１５、苗載台１５を一定ストロークで左右方向に往復移動させる横送り機構１６、苗載台１５が左右のストローク端に達するごとに苗載台上の各マット状苗を苗載台１５の下端に向けて所定ピッチで縦送りする苗縦送り機構１７、苗載台１５に載置した各マット状苗の下端から所定量ずつの苗を切り取って圃場の泥土部に植え付けることが可能な状態に左右方向に一定間隔をあけて配置した８基のロータリ式の植付機構１８、及び、走行車体１の走行に伴って圃場を滑走することにより苗植え付け予定箇所などの圃場泥面を整地する５つの整地フロート１９、などを植付フレーム（支持フレーム）２０に装備して最大８条の苗の植え付けを行えるように構成している。
【００３３】
動力分配ケース１４には、Ｔ／Ｍケース７が出力する植え付け作業用の動力を受け取って、横送り機構１６、苗縦送り機構１７、及び、各植付機構１８に分配供給する動力分配機構（図示せず）を内蔵している。
【００３４】
植付フレーム２０は、苗植付装置４の前下部に左右向きに配備した角パイプ状の主支持部材２１、苗載台１５の上部側を左右方向に往復移動可能な状態で支持するように主支持部材２１に前傾姿勢で立設した門型の苗載台支持フレーム（上部側支持部材）２２、及び、左右方向に一定間隔をあけた状態で主支持部材２１から後方に向けて延出した支持部材兼用の４つの植付伝動ケース２３、などから構成している。
【００３５】
図１〜１０、図１３〜１６、図１９及び図２３に示すように、苗載台１５と植付フレーム２０との間には、苗植え付け作業時に、苗載面１５ａと交差する方向への苗載台１５の変位を阻止した状態で苗載台１５を左右方向に移動案内する上側ガイド機構２４と下側ガイド機構２５とを備えている。
【００３６】
上側ガイド機構２４は、苗載台１５における背面の上部側に苗載台１５の左右両端部にわたる左右向き姿勢で固定した断面形状が下向きＵ字状の上側被支持部材（係合部材）２６、苗載台支持フレーム２２の上端部に左右方向に所定間隔をあけた状態で苗載台１５の下部側部分に沿う前傾姿勢で配備した６本の支軸２７、及び、各支軸２７の上端部に相対回転可能に外嵌装備した６個の上側回転体２８、などを備えている。そして、上側被支持部材２６の左右両端にわたる状態で上側被支持部材２６に備えた係合溝２６ａに各上側回転体２８が係入するように各上側回転体２８に対して上側被支持部材２６を上方から外嵌することにより、各上側回転体２８が上側被支持部材２６の苗載面１５ａと交差する方向への変位を阻止しながら左右方向への移動を許容する状態が得られるようにしている。これにより、上側ガイド機構２４を、苗植え付け作業時に苗載面１５ａと交差する方向への苗載台１５の変位を阻止しながら苗載台１５を左右方向に移動案内する状態に構成している。
【００３７】
下側ガイド機構２５は、苗載台１５における背面の下部側に苗載台１５の左右両端部にわたる左右向き姿勢で固定したアルミ押出材からなる下側被支持部材（係合部材）２９、及び、下側被支持部材２９の下方からの受け止め支持が可能な左右向き姿勢で所定の植付伝動ケース２３に支持させたアルミ押出材からなる支持部材３０、などを備えている。支持部材３０は、苗載台１５に載置したマット状苗の受け止め支持に使用する第１支持部３０ａ、及び、下側被支持部材２９の受け止め支持に使用する第２支持部３０ｂ、などを備えている。第１支持部３０ａは、左右方向に植付機構１８の配置間隔と同じ一定間隔をあけた所定位置に、各植付機構１８による苗の取り出しを可能にする８つの苗取出口３０ｃを形成している。第２支持部３０ｂは、苗載面１５ａと直交する支軸３１を支点にして左右方向に回転する７個の移動用回転体３２を、左右方向に所定間隔をあけて並ぶように配置した状態で装備している。そして、これらの移動用回転体３２を介して下側被支持部材２９を左右方向に移動可能に支持するように構成している。又、下側被支持部材２９の下面側には、各移動用回転体３２に対する下側被支持部材２９の左右方向への移動を許容し、かつ、各移動用回転体３２の回転軸心に沿う方向（苗載面１５ａと交差する方向）への変位を阻止する状態に各移動用回転体３２に上方から係合する第１係合溝２９ａを形成している。これらにより、下側ガイド機構２５を、苗植え付け作業時に苗載面１５ａと交差する方向への苗載台１５の変位を阻止しながら苗載台１５を左右方向に円滑に移動案内する状態に構成している。そして、第１係合溝２９ａにより、下側被支持部材２９と各移動用回転体３２との移動用回転体３２の回転軸心に沿う方向への変位を阻止する変位阻止手段３３を構成している。
【００３８】
図１〜１２に示すように、苗載台１５は、６条分の苗載面１５ａを区画形成した右側の主苗載部１５Ａと、２条分の苗載面１５ａを区画形成した左側の分割苗載部１５Ｂとに左右に分割可能な２分割構造に構成している。そして、主苗載部１５Ａと分割苗載部１５Ｂとを、主苗載部１５Ａに対する分割苗載部１５Ｂの左右方向への摺動変位と上下方向への揺動変位とを許容する状態に連結機構３４を介して連結することにより、主苗載部１５Ａと分割苗載部１５Ｂとを左右に連接した作業状態と、作業状態よりも苗載台１５の左右幅を狭くした収納状態とに切り換え可能な分割収納式に構成している。
【００３９】
図１、図２及び図４〜１２に示すように、連結機構３４は、左右向き姿勢で主苗載部１５Ａの左端部から左外方に延出する状態に主苗載部１５Ａに固定した断面形状がコの字状の固定部材３５と、固定部材３５に左右方向への摺動が可能は状態で内嵌する左右向き姿勢で断面形状がコの字状の可動部材３６とを備えている。固定部材３５は、その延出端部である左端部に苗載台１５の下部側部分に沿う前傾姿勢の支軸３７を装備している。可動部材３６は、固定部材３５との連結側である右側部分に左右向きの長孔３６ａを形成している。又、その左端部に、苗載台１５の下部側部分に沿う前傾姿勢の支軸３８を介して分割苗載部１５Ｂを枢支連結している。そして、固定部材３５に装備する支軸３７を、可動部材３６に形成した上下の長孔３６ａに挿通して固定部材３５に固定することにより、固定部材３５に対する可動部材３６の左右摺動と支軸３７を支点にした起伏揺動とが可能な状態に固定部材３５と可動部材３６とを連結している。
【００４０】
これにより、連結機構３４は、その固定部材３５に対する可動部材３６の左右摺動によって分割苗載部１５Ｂを左右方向に摺動変位させ、かつ、固定部材３５に対する可動部材３６の支軸３７を支点にした起伏揺動によって分割苗載部１５Ｂを上下方向に揺動変位させるように構成している。そして、この構成から、苗載台１５の収納状態では、分割苗載部１５Ｂが主苗載部１５Ａと平行な姿勢で主苗載部１５Ａの苗載面１５ａの上方に重なるように主苗載部側に寄せ上げられて所定の収納位置に位置する状態となり、これにより、作業状態よりも苗載台１５の左右幅を狭くすることができる。
【００４１】
連結機構３４には、分割苗載部１５Ｂを所定の収納位置に位置させるための分割苗載部１５Ｂの適正揺動支点位置Ｐ１と適正揺動操作位置Ｐ２とを設定している。適正揺動支点位置Ｐ１は、主苗載部１５Ａの分割端よりも機体横外側の位置に設定してあり、この位置に連結機構３４の支軸３７を配備している。適正揺動操作位置Ｐ２は、支軸３７との当接により可動部材３６の左外方への摺動を制限する当接部ａである可動部材３６の各長孔３６ａの右端部ａが支軸３７に当接したときに得られる分割苗載部１５Ｂの左摺動限界位置に設定している。
【００４２】
つまり、主苗載部１５Ａに連接する分割苗載部１５Ｂを、可動部材３６の各長孔３６ａの右端部ａが支軸３７に当接する適正揺動操作位置Ｐ２まで左外方に摺動変位させた後、適正揺動支点位置Ｐ１に位置する支軸３７を支点にして上方に揺動変位させることにより、分割苗載部１５Ｂを所定の収納位置に位置させることができるように構成している。
【００４３】
図１〜１０に示すように、主苗載部１５Ａの分割端には、その上部側に位置する第１接続部材４１、上下中間部に位置する第２接続部材４２、下部側の表面側に位置する第３接続部材４３、及び、下部側の裏面側に位置する第４接続部材４４を備えている。分割苗載部１５Ｂの分割端には、その上部側に位置する第１接続部材４５、上下中間部に位置する第２接続部材４６、下部側の表面側に位置する第３接続部材４７、及び、下部側の裏面側に位置する第４接続部材４８を備えている。
【００４４】
主苗載部１５Ａの第１接続部材４１と第２接続部材４２と第４接続部材４４には、位置決め孔４１ａ，４２ａ，４４ａを形成している。分割苗載部１５Ｂの第１接続部材４５と第２接続部材４６と第４接続部材４８には、右方に突出する位置決めピン４５ａ，４６ａ，４８ａを備えている。そして、主苗載部１５Ａの各位置決め孔４１ａ，４２ａ，４４ａに分割苗載部１５Ｂの対応する位置決めピン４５ａ，４６ａ，４８ａを挿通することにより、分割苗載部１５Ｂを、主苗載部１５Ａと左右に連接する状態となる所定の作業位置に位置決めすることができる。
【００４５】
苗載台１５には、その作業状態において主苗載部１５Ａの第１接続部材４１と分割苗載部１５Ｂの第１接続部材４５とを連結する第１ロック機構５１、主苗載部１５Ａの第２接続部材４２と分割苗載部１５Ｂの第２接続部材４６とを連結する第２ロック機構５２、主苗載部１５Ａの第３接続部材４３と分割苗載部１５Ｂの第３接続部材４７とを連結する第３ロック機構５３、及び、主苗載部１５Ａの第４接続部材４４と分割苗載部１５Ｂの第４接続部材４８とを連結する第４ロック機構５４を備えている。
【００４６】
第１ロック機構５１は、主苗載部１５Ａの第１接続部材４１に備えた溶接ナット５５に、分割苗載部１５Ｂの第１接続部材４５に備えたハンドル付きの長尺ボルト５６を螺合して、主苗載部１５Ａの第１接続部材４１に分割苗載部１５Ｂの第１接続部材４５を接合保持した状態をロック状態とする螺合式に構成している。
【００４７】
第２ロック機構５２は、主苗載部１５Ａの第２接続部材４２に備えた被挟持部位４２Ａと、分割苗載部１５Ｂの第２接続部材４６に備えた被挟持部位４６Ａとを、主苗載部１５Ａの第２接続部材４２に上下揺動可能に備えた断面Ｕ字状の板バネからなるロック具５７により挟持して、主苗載部１５Ａの第２接続部材４２に分割苗載部１５Ｂの第２接続部材４６を接合保持した状態をロック状態とする挟持式に構成している。
【００４８】
第３ロック機構５３は、主苗載部１５Ａの第３接続部材４３に備えた被挟持部位４３Ａと、分割苗載部１５Ｂの第３接続部材４７に備えた被挟持部位４７Ａとを、主苗載部１５Ａの第３接続部材４３に上下揺動可能に備えた断面Ｕ字状の板バネからなるロック具５８により挟持して、主苗載部１５Ａの第３接続部材４３に分割苗載部１５Ｂの第３接続部材４７を接合保持した状態をロック状態とする挟持式に構成している。
【００４９】
第４ロック機構５４は、主苗載部１５Ａの第４接続部材４４に備えた溶接ナット５９に、分割苗載部１５Ｂの第４接続部材４８に備えたハンドル付きの長尺ボルト６０を螺合して、主苗載部１５Ａの第４接続部材４４に分割苗載部１５Ｂの第４接続部材４８を接合保持した状態をロック状態とする螺合式に構成している。
【００５０】
図１〜１０、図１７及び図１８に示すように、主苗載部１５Ａにおける表面側の左端部には、分割苗載部１５Ｂの上部側を所定の収納位置にて受け止め支持する上側支持フレーム６１と、分割苗載部１５Ｂの下部側を所定の収納位置にて受け止め支持する下側支持フレーム６２とを立設している。下側支持フレーム６２には、分割苗載部１５Ｂを所定の収納位置にて固定保持するロック機構６３を備えている。ロック機構６３は、分割苗載部１５Ｂを所定の収納位置に係合保持するロック位置と、分割苗載部１５Ｂの所定の収納位置からの変位を許容するロック解除位置とにわたって揺動操作可能な門型の係合部材６４、係合部材６４との当接により係合部材６４の揺動範囲をロック位置とロック解除位置との間に制限するコの字状の当接部材６５、及び、係合部材６４のロック位置とロック解除位置との切り換え保持が可能となる状態に係合部材６４と当接部材６５とに掛け渡したトグルバネ６６、などにより構成している。そして、この構成では、当接部材６５がバネ受け部材を兼ねることにより、部品点数の削減及び構成の簡素化などを図ることができる。
【００５１】
図２、図５〜１０及び図１３〜１６に示すように、下側ガイド機構２５において、各移動用回転体３２は、支持部材３０の第２支持部３０ｂにおける各移動用回転体３２の配置箇所に配備した第１支持具６７及び第２支持具６８を介して支持部材３０の第２支持部３０ｂに装備している。各第１支持具６７及び第２支持具６８は、対応する移動用回転体３２が入り込む凹部６７Ａ，６８Ａを備え、第１支持具６７に溶接した移動用回転体支持用の支軸３１を介して、対応する第１支持具６７と第２支持具６８とを嵌合状態で連結することにより、対応する移動用回転体３２の下部側を下方から覆う状態となるカバー６９を構成するように形成している。これにより、植え付け作業時に撥ね上がった圃場の泥土が各移動用回転体３２に付着することを防止している。
【００５２】
各第１支持具６７及び第２支持具６８は、支持部材３０に対する下方からのボルト連結によって支持部材３０の第２支持部３０ｂに共締め連結している。つまり、作業空間を確保し難い支持部材３０の上方側ではなく、作業空間を確保し難い支持部材３０の下方側を利用して、支持部材３０に対する下方からのボルト連結によって支持部材３０の第２支持部３０ｂに各第１支持具６７及び第２支持具６８を固定するようにしているのであり、これにより、支持部材３０の第２支持部３０ｂに対する各移動用回転体３２及び各支持部材６７，６８の組み付け性、及び、移動用回転体３２などに対するメンテナンス性を向上させることができる。又、支持部材３０の第２支持部３０ｂに対応する第１支持具６７と第２支持具６８とを共締め連結することにより、連結部品の削減及び連結構造の簡素化を図ることができる。
【００５３】
支持部材３０の第２支持部３０ｂにおける各移動用回転体３２の配置箇所には、対応する移動用回転体３２の上端部を露出させる矩形状の開口３０ｄを形成している。そして、各開口３０ｄから露出する各移動用回転体３２の上端部に、下側被支持部材２９の第１係合溝２９ａを係合させている。
【００５４】
支持部材３０の第２支持部３０ｂにおいて、各開口３０ｄの左右に位置して各開口３０ｄの左右の側縁を形成する各側縁形成箇所３０ｅは、各開口３０ｄから上端部が露出する移動用回転体３２の外周面に付着した異物を掻き落とすスクレーパＳとして機能するように移動用回転体３２の上端部に近接させている。これにより、植え付け作業時に撥ね上がって各移動用回転体３２に付着した圃場の泥土などの異物を掻き落とすことができ、各移動用回転体３２に付着した泥土などの異物によって、各移動用回転体３２の回転によって苗載台１５が左右方向に往復移動する際の円滑性が損なわれることを防止することができる。
【００５５】
ちなみに、図１４及び図１５に示すように、各第１支持具６７の上端部において、各第１支持具６７が支持する移動用回転体３２に向けて延出する左右一対の延出部６７ＢをスクレーパＳとして機能させるように構成してもよい。
【００５６】
図５〜１０に示すように、各移動用回転体３２及び各支持部材６７，６８の配置間隔は、全ての支持部材６７，６８が支持部材３０の第２支持部３０ｂに形成した各苗取出口３０ｃと重なり合わないように、又、苗載台１５が一定ストロークで左右方向に往復移動する間、全ての移動用回転体３２が下側被支持部材２９を下方から受け止め支持する状態が得られるように設定している。これにより、各苗取出口３０ｃから苗を切り出す各植付機構１８が各支持部材６７，６８に干渉することを回避することができる。又、植え付け作業時には、苗載台１５が一定ストロークで左右方向に往復移動するにもかかわらず、苗載台１５の下部側を、全ての移動用回転体３２による支持状態で安定性良く支持することができる。
【００５７】
又、収納状態では、左端部の移動用回転体３２が露出する状態となるように設定している。これは、収納状態では苗載台１５を左右方向に移動させないことから苗載台１５の安定性を優先させる必要がないことを考慮して、収納状態では左端部の移動用回転体３２が露出する状態になるように、移動用回転体３２の配置間隔をできるだけ広げた状態で各移動用回転体３２を配備するようにしているのであり、これにより、植え付け作業時において、一定ストロークで左右方向に往復移動する苗載台１５の下部側を、各移動用回転体３２によって安定性良く支持することができる。
【００５８】
図５〜１０及び図１３〜１６に示すように、各移動用回転体３２は、苗載台１５の苗縦送り方向での荷重を受け止め支持するように苗載台１５の下部側に沿う姿勢で対応する第１支持具６７及び第２支持具６８に支持させている。つまり、各移動用回転体３２により、苗載台１５の苗縦送り方向での荷重を受け止めながら、苗載台１５を安定性良く一定ストロークで左右方向に往復移動する状態に支持することができる。
【００５９】
各第２支持具６８には、下側被支持部材２９の上部側に左右向きに形成した第２係合溝２９ｂに、苗縦送り方向と反対の方向への苗載台１５の移動を規制する状態に係入する回転体からなる規制具７０を、第１連結部材７１を介して支持させている。又、第２係合溝２９ｂに、苗載台１５の苗載面１５ａと交差する方向の荷重を受け止める状態に係入する回転体からなる受具７２を、第２連結部材７３を介して支持させている。
【００６０】
上記の構成により、苗載台１５が左右方向に円滑に往復移動する状態を維持しながら、植え付け作業時の振動などに起因した苗載台１５の浮き上がりを防止することができ、各移動用回転体３２による苗載台１５の支持を、より安定性良くより確実に行うことができる。
【００６１】
又、苗載台１５が左右方向に円滑に往復移動する状態を維持しながら、苗を縦送り可能に載置するために前傾姿勢で装備する苗載台１５の支持を、各移動用回転体３２と受具７２とによってより安定した状態で支持することができる。
【００６２】
更に、移動用回転体３２の支持部材である第２支持具６８を、規制具７０及び受具７２を支持する支持具に使用することができ、これにより、規制具専用の支持具及び受具専用の支持具を備える場合に比較して部品点数の削減を図ることができる。
【００６３】
図１３及び図１５に示すように、支持部材３０の第１支持部３０ａにおいて、マット状苗の床土が接触する箇所には、耐摩耗性の高いステンレス製の保護板７４を装備するための凹部３０ｆを形成している。保護板７４は、第１支持部３０ａの各苗取出口形成箇所に苗取出ガイド（図示せず）を取り付ける皿小ネジ７５などを利用して、苗取出ガイドとともに第１支持部３０ａに取り付けている。保護板７４の各皿子ネジ挿通部７４ａは、皿子ネジ７５の頭部を埋没させる埋没空間を確保するために下窄まり状で下方に突出形成している。第１支持部３０ａの凹部３０ｆには、対応する保護板７４の皿子ネジ挿通部７４ａを埋没させる埋没空間を確保するために下窄まり状で下方に突出形成した複数の皿子ネジ挿通部位３０ｇを備えている。
【００６４】
上記の構成により、保護板取り付け用の専用のネジなどを備える場合に比較して部品点数の削減や取り付け構造の簡素化を図りながら、植え付け作業時における苗載台１５の左右方向への往復移動に伴う保護板７４に対するマット状苗の左右摺動に皿子ネジ７５が支障を来たすことのない状態で、支持部材３０の第１支持部３０ａに保護板７４を簡単に取り付けることができる。そして、この取り付けによって、植え付け作業時における苗載台１５の左右方向への往復移動に伴って支持部材３０の第１支持部３０ａにマット状苗の床土が摺接することに起因した第１支持部３０ａの摩耗を防止することができる。
【００６５】
図３、図５〜９、図１９及び図２０に示すように、下側ガイド機構２５の支持部材３０は、苗載台１５の収納状態への切り換えによって狭くなる苗載台１５の左右幅に応じて、支持部材３０の両端部を機体内側に折り畳み収納可能に構成している。具体的には、支持部材３０は、収納状態に切り換えた苗載台１５の左右幅と略同じ長さで左右中央に位置する固定部３０Ａと左右両端の可動部３０Ｂとを備えている。そして、固定部３０Ａの左右両端部に左右の可動部３０Ｂを、固定部３０Ａに対する各可動部３０Ｂの左右方向への摺動変位と上下方向への揺動変位とを許容する状態に接続機構７６を介して接続することにより、固定部３０Ａと左右の可動部３０Ｂとを左右に連接した作業状態と、苗載台１５と同様に作業状態よりも左右幅を狭くした収納状態とに切り換え可能に構成している。
【００６６】
各接続機構７６は、固定部３０Ａに固定した第１屈曲板７７と可動部３０Ｂに固定した第２屈曲板７８とを、第１屈曲板７７に備えた溶接ナット７９、第２屈曲板７８に形成した左右向きの長孔７８ａ、及び、ノブ付きボルト８０を利用した連結構造により、収納状態では、左右の可動部３０Ｂが苗載台１５の裏面側に苗縦送り機構１７などに干渉しない前上がりの機体内向き姿勢で位置するように構成している。
【００６７】
図１〜９に示すように、苗載台１５の作業状態と収納状態との切り換えは、苗載台１５を左側のストローク端に位置させた状態で行い、収納状態では、分割苗載部１５Ｂの分割端に位置する苗載面１５ａが主苗載部１５Ａの分割端に位置する苗載面１５ａの上方に重なる状態で位置するように構成している。そのため、収納状態では、苗載台１５の左右幅を、作業状態よりも約１面分の苗載面１５ａの左右幅を減少させた状態にすることができる。
【００６８】
図４〜１０に示すように、苗載台１５に装備する上側ガイド機構２４の上側被支持部材２６及び下側ガイド機構２５の下側被支持部材２９は、苗載台１５と同様に、主苗載部１５Ａに装備する主被支持部２６Ａ，２９Ａと分割苗載部１５Ａに装備する分割被支持部２６Ｂ，２９Ｂとに分割可能な２分割構造に構成している。
【００６９】
そして、前述したように、苗載台１５の作業状態と収納状態との切り換えは、苗載台１５を左側のストローク端に位置させた状態で行い、又、分割苗載部１５Ｂの揺動変位は、分割苗載部１５Ｂを適正揺動操作位置Ｐ２に摺動変位させた後に行うように構成している。
【００７０】
そのため、上側被支持部材２６及び下側被支持部材２９の各分割被支持部２６Ｂ，２９Ｂは、苗載台１５を左側のストローク端に位置させて分割苗載部１５Ｂを適正揺動操作位置Ｐ２に摺動変位させた状態において、苗載面１５ａと交差する方向で上側回転体２８又は移動用回転体３２と対向する箇所に、上側回転体２８又は移動用回転体３２の苗載面１５ａと交差する方向への相対変位を許容する切欠部２６ｂ，２９ｃを形成している。そして、これらの切欠部２６ｂ，２９ｃにより、苗載台１５の作業状態と収納状態との切り換え時に分割苗載部１５Ｂの苗載面１５と交差する方向への変位を許容する変位許容部８１を構成している。
【００７１】
ちなみに、この苗載台１５の分割構造において、苗載台１５の収納状態は、主苗載台１５Ａに分割苗載台１５Ｂを上側支持フレーム６１と下側支持フレーム６２とを介して載置固定するだけであることから、苗載台１５の収納状態での横送り機構１６による横送りが許容されている。そのため、誤操作などによって苗載台１５の収納状態での横送り機構１６による横送りが行われたとしても、その横送りによる苗載台１５などの破損を回避することができる。
【００７２】
図１〜９に示すように、苗縦送り機構１７は、各苗載面１５ａに備えたベルト式の縦送り部８２、隣接する２つの縦送り部８２を連動連結する４本の連動軸８３、各連動軸８３を駆動する駆動軸８４、及び、駆動軸８４から各連動軸８３への伝動を個々に断続する４つの縦送りクラッチ８５、などを備えて構成している。
【００７３】
苗縦送り機構１７において、主苗載部１５Ａに配備する３つの連動軸８３及び駆動軸８４は、駆動軸８４に各連動軸８３を相対回転可能に外嵌した２重軸構造で、対応する連動軸８３と駆動軸８４との間に介装した縦送りクラッチ８５の断続操作によって駆動軸８４から各連動軸８３への伝動を個々に断続することができるように構成している。分割苗載部１５Ａに配備する連動軸８３は、苗載台１５の作業状態において駆動軸８４と同心上で左右に隣接し、それらの間に介装した縦送りクラッチ８５の断続操作によって駆動軸８４から連動軸８３への伝動を断続するように構成している。そして、この分割苗載部１５Ａの連動軸８３に対する縦送りクラッチ８５は、苗載台１５を作業状態から収納状態に切り換えるときに、苗縦送り機構１７の主苗載部側と分割苗載部側との分割を可能にする分割機構を兼ねるように構成している。又、この縦送りクラッチ８５の操作部８５Ａ、この縦送りクラッチ８５に対する操作具としての操作レバー８６、及び、操作レバー８６を操作部８５Ａに操作可能に連係する連係ワイヤ８７や操作アーム８８などを備えた操作系８９を、他の縦送りクラッチ８５に対する操作レバー８６及び操作系８９と同様に主苗載部１５Ａに配備している。
【００７４】
これにより、専用の分割機構を装備する場合に比較して、部品点数の削減及び苗縦送り機構１７の分割に関する構造の簡素化などを図ることができる。又、専用の分割機構を装備する場合には、分割苗載部１５Ａの連動軸８３に対する縦送りクラッチ８５の全体、及び、この縦送りクラッチ８５に対する操作系８９を分割苗載部側に配備しなければならないことから、苗載台１５の収納状態への切り換えを可能にするために、連係ワイヤ８７の長さを長くする、あるいは、連係ワイヤ８７の配索に工夫を凝らす、といった対策を講じる必要があるが、上記の構成では、このような対策を不要にすることができる。
【００７５】
図１〜４、図９、図１０、図２１及び図２２に示すように、植付フレーム２０における主支持部材２１の左右両端部には、下側ガイド機構２５を保護する左右の保護部材９０の取り付けを可能にする平面視Ｌ字状の取付板９１を装備している。各保護部材９０は、横向きのＪ字状に形成した保護パイプ９０Ａと、保護パイプ９０Ａの屈曲箇所に近い側の端部に溶接した連結板９０Ｂとを備えている。各連結板９０Ｂには、取付板９１への取り付け用として第１〜３の取付孔９０ａ〜９０ｃを形成している。各取付板９１は、前後に面する保護部材取付部９１Ａを備え、この保護部材取付部９１Ａに、保護部材９０の第１取付孔９０ａに対応する第１取付孔９１ａと、保護部材９０の第２取付孔９０ｂ及び第３取付孔９０ｃに対応する第２取付孔９１ｂとを形成している。
【００７６】
保護部材９０は、その第１取付孔９０ａと取付板９１の第１取付孔９１ａとを利用して取付板９１にボルト連結し、この連結に使用した前後向きのボルト９２を支点にして揺動変位させることにより、保護パイプ９０Ａが下側ガイド機構２５の横外側に張り出して下側ガイド機構２５を保護する状態となる保護位置と、保護パイプ９０Ａが機体内側に下向き姿勢で収納されてスタンドとしての使用が可能となる収納位置とに切り換えることができる。そして、保護位置では、保護部材９０の第２取付孔９０ｂが取付板９１の第２取付孔９１ｂに連通するようになっており、連通するこれらの取付孔９０ｂ，９１ｂを利用して取付板９１にボルト連結することにより、保護位置に固定保持することができる。又、収納位置では、保護部材９０の第３取付孔９０ｃが取付板９１の第２取付孔９１ｂに連通するようになっており、連通するこれらの取付孔９０ｃ，９１ｂを利用して取付板９１にボルト連結することにより、収納位置に固定保持することができる。
【００７７】
つまり、苗載台１５の作業状態では、保護部材９０を保護位置に固定保持することにより、保護部材９０によって下側ガイド機構２５を保護することができる。そして、苗載台１５の収納状態では、保護部材９０を収納位置に固定保持することにより、苗載台１５の左右幅とともに保護部材９０の左右幅を減少させることができ、しかも、保護部材９０を苗載台１５のスタンドとして使用することが可能になり、トラックによる輸送や納屋への収納などの面において有利にすることができる。
【００７８】
ちなみに、保護部材９０の左右幅を減少させる必要のない６条植え用以下の苗植付装置４においては、図２３に示すように、左右の各取付板９１において、左右に面する保護部材取付部９１Ｂに、保護部材９０の第１取付孔９０ａに対応する第１取付孔９１ａと、保護部材９０の第２取付孔９０ｂ及び第３取付孔９０ｃに対応する第２取付孔９１ｂとを形成し、保護部材９０の第１取付孔９０ａと取付板９１の第１取付孔９１ａとを利用して保護部材９０と取付板９１とをボルト連結する際に使用した左右向きのボルト９３を支点にして、保護部材９０を、下側ガイド機構２５を保護する保護位置と、スタンドとして使用することが可能な収納位置とに切り換え可能に構成してもよい。
【００７９】
図１、図２、図１０及び図２１に示すように、苗植付装置４の左右両側部には、植え付け作業時に次回の走行基準線を圃場の泥面に形成する線引きマーカ９４を装備している。各線引きマーカ９４は、植付フレーム２０における主支持部材２１の左右両端部に備えたマーカ支持部材９５に、前後向きの支軸９６を介して、苗植付装置４の横外方に張り出して圃場の泥面に走行基準線を形成する作用位置と、苗植付装置４に近接した状態で起立する収納位置とにわたる揺動操作が可能な状態で連結している。又、線引きマーカ９４の揺動支点部を形成する連係アーム９４Ａとマーカ支持部材９５とに掛け渡した引っ張りバネ９７によって作用位置に揺動付勢している。各連係アーム９４Ａの上端部には、苗植付装置４の非作業位置への上昇揺動に連動した各線引きマーカ９４の引っ張りバネ９７の揺動付勢に抗した収納位置への引き上げ操作が可能となるようにレリーズワイヤ９８を介してリンク機構２に連係している。
【００８０】
各マーカ支持部材９５には、各連係アーム９４Ａの上端部に備えたローラ９９との係合により、対応する線引きマーカ９４を作用位置と収納位置との間の待機位置に保持するフック状の保持具１００を上下揺動可能に装備している。又、保持具１００を下方に揺動付勢する捻りバネ１０１、及び、保持具１００との当接により捻りバネ１０１の揺動付勢による保持具１００の下方への揺動をローラ９９に対する係合位置に制限する当接部９５ａを備えている。各保持具１００の遊端部には、線引きマーカ９４が待機位置に向けて引き上げ操作される際に、ローラ９９との摺接による、捻りバネ１０１の揺動付勢に抗した保持具１００の係合位置から上方への揺動操作を可能にするカム部１００ａを備えている。又、手動による捻りバネ１０１の揺動付勢に抗した保持具１００の係合位置から上方の係合解除位置への揺動操作が可能となるようにレリーズワイヤ１０２を介して解除操作具（図示せず）に連係している。
【００８１】
各ローラ９９は、強度、弾性率、耐衝撃性に優れたポリアセタールを採用した樹脂製であり、これにより、ローラ９９の耐久性を確保しながら、鉄製のローラを採用した場合に生じる錆付きに起因したローラの固着によって、手動でローラに対する保持具１００の係合を解除する際の操作が重くなる不都合の発生を回避することができる。
【００８２】
各マーカ支持部材９５の連係アーム９４Ａは、その揺動支点からレリーズワイヤ９８との連係点までの距離Ｌ１を長くすることにより、苗植付装置４の非作業位置への上昇揺動に連動して線引きマーカ９４が作用位置から収納位置に引き上げ操作される際の連係アーム９４Ａの操作ストロークＬ２が長くなるように構成している。これにより、苗植付装置４の上昇揺動に連動して線引きマーカ９４が引き上げ操作される際の操作速度を遅くすることができる。又、その操作速度が遅くなることにより、レリーズワイヤ９８におけるアウタワイヤ９８Ａとインナワイヤ９８Ｂとの間での引っ掛かりを抑制することができる。その結果、線引きマーカ９４の引き上げ速度が速いことに起因した線引きマーカ９４による泥撥ねや、アウタワイヤ９８Ａとインナワイヤ９８Ｂとの間の引っ掛かりが開放された直後の急激な線引きマーカ９４の引き上げに起因した線引きマーカ９４による泥撥ねを防止することができる。
【００８３】
図１、図２、図４、図１０及び図２４〜２６に示すように、この乗用田植機は、左右の後輪９の内側への補助車輪１０３の装着が可能となるように構成している。そのため、植付フレーム２０の主支持部材２１における左右の補助車輪１０３の後方箇所には、補助車輪１０３の轍を均す補助整地板１０４の取り付けを可能にする取付板１０５を装備している。各取付板１０５には、補助整地板取り付け用の３つの取付孔１０５ａを形成している。
【００８４】
各補助整地板１０４は、補助整地板１０４を支持する支持部材１０６に左右向きの支軸１０７を介して揺動可能に装備している。各支持部材１０６には、取付板１０５の各取付孔１０５ａに対応する溶接ナット１０８を備えている。
【００８５】
上記の構成から、各補助整地板１０４は、取付板１０５の各取付孔１０５ａと支持部材１０６の各溶接ナット１０８とを利用して、取付板１０５に支持部材１０６をボルト連結することにより、主支持部材２１における左右の補助車輪１０３の後方箇所に補助車輪１０３の轍を均すことが可能な状態で組み付けることができる。
【００８６】
そして、上記の構成では、補助整地板１０４と支持部材１０６とをユニット化していることから、各支持部材１０６を植付フレーム２０の主支持部材２１に標準装備する場合に比較して、左右の補助車輪１０３を装備しない標準仕様における部品点数及びコストの削減を図ることができる。
【００８７】
図２、図１０及び図２７に示すように、苗植付装置４には、各整地フロート１９の下降揺動を制限する連係ロッド１０９を備えている。各連係ロッド１０９は、各整地フロート１９への泥の撥ね上がりを防止するために植付フレーム２０の主支持部材２１に装備した各泥除けカバー１１０に当接する第１当接部１０９ａと、各整地フロート１９の先端部に当接する第２当接部１０９ｂとを備えるコの字状に屈曲形成している。そして、第１当接部１０９ａを、対応する泥除けカバー１１０に形成した係合孔１１０ａに挿通し、第２当接部１０９ｂを、対応する整地フロート１９の先端部に形成した係合孔１９ａに挿通することにより、対応する整地フロート１９の下降揺動を制限する状態に組み付けることができる。
【００８８】
このように、各整地フロート１９の下降揺動の制限をコの字状の連係ロッド１０９で行うことにより、整地フロート１９の下降揺動を制限する上での部品点数の削減及び構造の簡素化を図ることができる。
【００８９】
尚、各連係ロッド１０９の組み付けは、各整地フロート１９を植付フレーム２０に組み付ける前に行うことにより、整地フロート１９及び泥除けカバー１１０の係合孔１９ａ，１１０ａに対する連係ロッド１０９の各当接部１０９ａ，１０９ｂの挿通を簡単に行うことができ、その後、整地フロート１９を植付フレーム２０に組み付けることにより、整地フロート１９及び泥除けカバー１１０の係合孔１９ａ，１１０ａからの連係ロッド１０９の各当接部１０９ａ，１０９ｂの抜け出しを阻止することができる。
【００９０】
〔別実施形態〕
〔１〕苗載台１５としては、３分割に分割可能に構成したものであってもよい。又、主苗載部１５Ａに対する分割苗載部１５Ｂの揺動変位のみで作業状態と収納状態との切り換えを行うように構成したものであってもよい。
【００９１】
〔２〕ガイド機構２４，２５としては、複数の回転体２８，３２を苗載台１５に備え、係合部材２６，２９を支持フレーム２０に備えたものであってもよい。
【００９２】
〔３〕変位許容部８１としては、係合部材２６，２９を主苗載部１５Ａと分割苗載部１５Ｂとに分割装備する場合には、分割苗載部１５Ｂに装備する係合部材２６Ｂ，２９Ｂの左右幅の全体において回転体２８，３２と係合溝２６ａ，２９ａとの苗載面１５ａと交差する方向への相対変位を許容する状態に形成したものであってもよい。
【００９３】
〔４〕分割苗載部１５Ｂ、又は、支持フレーム２０において分割苗載部１５Ｂに対応する箇所に回転体２８，３２を配備しないことにより、変位許容部８１を構成してもよい。
【産業上の利用可能性】
【００９４】
本発明に係る田植機の苗載台分割構造は、乗用田植機や歩行田植機などに適用することができる。
【符号の説明】
【００９５】
１５      苗載台
１５Ａ    主苗載部
１５Ｂ    分割苗載部
１５ａ    苗載面
１７      苗縦送り機構
２０      支持フレーム
２２      上部側支持部材
２４      ガイド機構
２５      ガイド機構
２６      係合部材
２６ａ    係合溝
２６ｂ    切欠部
２８      回転体
２９      係合部材
２９ａ    係合溝
２９ｃ    切欠部
３０      下部側支持部材
３２      回転体
３４ 連結機構
３５ 固定部材
３６ 可動部材
３７ 支軸
８１      変位許容部
８５      分割苗載部用の縦送りクラッチ
８６      操作具
８９      操作系
【図１】
0005822770.tif 000002
【図２】
0005822770.tif 000003
【図３】
0005822770.tif 000004
【図４】
0005822770.tif 000005
【図５】
0005822770.tif 000006
【図６】
0005822770.tif 000007
【図７】
0005822770.tif 000008
【図８】
0005822770.tif 000009
【図９】
0005822770.tif 000010
【図１０】
0005822770.tif 000011
【図１１】
0005822770.tif 000012
【図１２】
0005822770.tif 000013
【図１３】
0005822770.tif 000014
【図１４】
0005822770.tif 000015
【図１５】
0005822770.tif 000016
【図１６】
0005822770.tif 000017
【図１７】
0005822770.tif 000018
【図１８】
0005822770.tif 000019
【図１９】
0005822770.tif 000020
【図２０】
0005822770.tif 000021
【図２１】
0005822770.tif 000022
【図２２】
0005822770.tif 000023
【図２３】
0005822770.tif 000024
【図２４】
0005822770.tif 000025
【図２５】
0005822770.tif 000026
【図２６】
0005822770.tif 000027
【図２７】
0005822770.tif 000028